(57)【要約】【課題】表示画像にスピーカが映り込むことを防止する、ＨＵＤ装置を提供する。【解決手段】ＨＵＤ装置１０は、表示器２３と、スピーカ２７と、筐体２１と、カバー部２２と、を備える。表示器２３は、表示光４を出射する。スピーカ２７は、表示光４の光路と重ならない位置、かつ、カバー部２２の下方に配置される。筐体２１は、開口部４１を有し表示器２３とスピーカ２７とを収容する。カバー部２２は開口部４１を開閉可能に覆う。【選択図】図４
2019172062.tif 000002
【特許請求の範囲】
【請求項１】
表示光を出射する表示器と、
スピーカと、
開口部を有し前記表示器と前記スピーカとを収容する筐体と、
前記開口部を開閉可能に覆うカバー部と、を備え、
前記スピーカは、
前記表示光の光路と重ならない位置、かつ、前記カバー部の下方に配置される、
ヘッドアップディスプレイ装置。
【請求項２】
表示光を出射方向に出射する表示器と、
スピーカと、
開口部を有し前記表示器と前記スピーカとを収容する筐体と、
前記開口部を開閉可能に覆うカバー部と、を備え、
前記スピーカは、
前記カバー部において前記表示器に最も近い下端部と前記表示器の上端部とを結ぶ境界に対して前記表示器の反対側、かつ、前記カバー部の下方に配置される、
ヘッドアップディスプレイ装置。
【請求項３】
前記カバー部は、前記開口部が開放されている場合、前記筐体内に収容される、
請求項１または２のいずれかに記載のヘッドアップディスプレイ装置。
【請求項４】
前記筐体に収容され前記表示器が出射した前記表示光を前記開口部から前記筐体外に反射するミラーをさらに備え、
前記ミラーと前記開口部との間の距離は、前記表示器と前記開口部との間の距離よりも短い、
請求項１から３のいずれかに記載のヘッドアップディスプレイ装置。
【請求項５】
前記表示光が投影されるコンバイナと、
前記コンバイナを保持し前記筐体内に固定されたシャーシと、をさらに備え、
前記スピーカは、前記シャーシに設置される
請求項１から４のいずれかに記載のヘッドアップディスプレイ装置。
【請求項６】
前記シャーシは、前記表示器と対向する第１の面と、第１の面の裏面である第２の面とを有する側壁を備え、
前記スピーカが音を発する方向は、前記第２の面から前記第１の面へ向かう方向である、
請求項５に記載のヘッドアップディスプレイ装置。
【請求項７】
前記コンバイナは、前記表示光が投影される投影面を有し、
前記開口部は、前記コンバイナにより前記投影面に面する第１開口部と前記投影面の裏面に面する第２開口部とに分けられ、
前記スピーカが発した前記音は、前記第１開口部から前記筐体外に出る
請求項６に記載のヘッドアップディスプレイ装置。
【請求項８】
前記シャーシは、前記表示器と対向する第１の面と、第１の面の裏面である第２の面とを有する側壁を備え、
前記スピーカが音を発する方向は、前記第１の面から前記第２の面へ向かう方向である、
請求項５に記載のヘッドアップディスプレイ装置。
【請求項９】
前記コンバイナは、前記表示光が投影される投影面を有し、
前記開口部は、前記コンバイナにより前記投影面に面する第１開口部と前記投影面の裏面に面する第２開口部とに分けられ、
前記スピーカが発した前記音は、前記第２開口部から前記筐体外に出る
請求項８に記載のヘッドアップディスプレイ装置。
【請求項１０】
前記シャーシは、前記コンバイナの昇降機構に含まれ、
前記昇降機構は、
前記開口部が開放される場合、前記コンバイナを前記開口部から前記筐体外に現出させ、
前記開口部が閉じられる場合、前記コンバイナを前記筐体内に収容する、
請求項５から９のいずれかに記載のヘッドアップディスプレイ装置。
【発明の詳細な説明】
【技術分野】
【０００１】
本開示は、ヘッドアップディスプレイ（ＨＵＤ）装置に関する。
【背景技術】
【０００２】
一般的に、ＨＵＤ装置は、運転者の視線位置に、運転している車両の情報または車両周囲の環境に関する情報を表示する。また、ＨＵＤ装置の表示に加えて、メーターユニットに内蔵されているスピーカから運転者に向けて音が発せられる。このため、運転者の注意または視線は、ＨＵＤ装置とメーターユニットの両方に分散され、運転者に違和感を与える可能性がある。
【０００３】
これに対して、ＨＵＤ装置の内部にスピーカを配置し、ＨＵＤ装置の表示光とスピーカの音を、フロントガラスの同じ領域に向けて発する装置が開示されている（例えば、特許文献１参照）。これにより運転者に向けて発する表示光と音が分散せず運転者の違和感を軽減できる。
【先行技術文献】
【特許文献】
【０００４】
【特許文献１】特許第５３３５４８７号公報
【発明の概要】
【発明が解決しようとする課題】
【０００５】
特許文献１では、スピーカが光路上に配置されているため、ＨＵＤ装置が表示する表示画像にスピーカが映り込み、ユーザがＨＵＤ装置の表示画像を視認しづらくなる可能性があった。
【０００６】
本開示は、スピーカを内部に配置しつつ、表示画像にスピーカが映り込むことを防止する、ＨＵＤ装置を提供することを目的とする。
【課題を解決するための手段】
【０００７】
本開示の一態様に係るＨＵＤ装置は、表示器と、スピーカと、筐体と、カバー部と、を備える。表示器は、表示光を出射する。スピーカは、表示光の光路と重ならない位置、かつ、カバー部の下方に配置される。筐体は、開口部を有し表示器とスピーカとを収容する。カバー部は開口部を開閉可能に覆う。
【０００８】
また、本開示の他の態様に係るＨＵＤ装置は、表示器と、スピーカと、筐体と、カバー部と、を備える。表示器は、表示光を出射方向に出射する。スピーカは、カバー部において表示器に最も近い下端部と表示器の上端部とを結ぶ境界に対して表示器の反対側、かつ、カバー部の下方に配置される。筐体は、開口部を有し表示器とスピーカとを収容する。カバー部は、開口部を開閉可能に覆う。
【発明の効果】
【０００９】
本開示に係るＨＵＤ装置は、スピーカを内側に配置しつつ表示画像にスピーカが映り込むことを防止できる。
【図面の簡単な説明】
【００１０】
【図１】車室内に設置された第１の実施の形態に係るＨＵＤ装置を示す図
【図２】第１の実施の形態に係るＨＵＤ装置の動作時の透視側面図
【図３】第１の実施の形態に係るＨＵＤ装置を示す斜視図
【図４】第１の実施の形態に係るＨＵＤ装置を示す断面図
【図５】第１の実施の形態に係るＨＵＤ装置の開口部とミラーおよび表示器との間の距離を示す断面図
【図６】第１の実施の形態に係るＨＵＤ装置のシャーシに設置されたスピーカを示す斜視図
【図７】第２の実施の形態に係るＨＵＤ装置を示す断面図
【発明を実施するための形態】
【００１１】
以下、図面を参照して、本開示の実施の形態を詳しく説明する。なお、同一または略同一の部分には同一の符号を付し詳細な説明を省略する場合がある。
【００１２】
（第１の実施の形態）
図１は、車両１内に設置された本実施の形態に係るＨＵＤ装置１０を示す図である。
【００１３】
車両１のインストルメントパネル１１にＨＵＤ装置１０が設置されている。ここでは、ＨＵＤ装置１０は、ハンドル１２のある運転席の前方に設置されている。
【００１４】
図２は、ＨＵＤ装置１０の動作時の透視側面図である。図３は、ＨＵＤ装置１０を示す斜視図である。図４は、図３のＡ−Ａ´線におけるＨＵＤ装置１０の構成を示す断面図である。図５は、ＨＵＤ装置１０の開口部４１とミラー２４および表示器２３との間の距離を示す断面図である。以下、図２〜図５を参照して、ＨＵＤ装置１０の構成を詳細に説明する。以下の図面に示されるｘ１、ｘ２方向は、ＨＵＤ装置１０の幅方向である。また、ｙ１、ｙ２方向は、ＨＵＤ装置１０の高さ方向である。また、ｚ１、ｚ２方向は、ＨＵＤ装置１０の奥行き方向である。ｙ１方向を上、ｙ２方向を下という場合がある。
【００１５】
ＨＵＤ装置１０は、筐体２１と、カバー部２２と、表示器２３と、ミラー２４と、コンバイナ２５と、昇降機構２６と、スピーカ２７と、を有する。
【００１６】
筐体２１は、上面に開口部４１を有する。筐体２１は、表示器２３と、基板４２と、ミラー２４と、コンバイナ２５と、昇降機構２６と、スピーカ２７とを収容する。
【００１７】
カバー部２２は、筐体２１の開口部４１を開閉可能に覆うように設けられる。カバー部２２は、コンバイナ２５が筐体２１に収容される場合には、筐体２１の開口部４１を覆い、筐体２１とともにＨＵＤ装置１０の外殻を構成する。カバー部２２は、開口部４１を開放し、コンバイナ２５が使用状態（後述）である場合には、筐体２１に収容される。カバー部２２は、回転軸Ｃ１を中心に回動することにより、開口部４１を開閉する。カバー部２２は、筐体２１の開口部４１を覆う状態から下端部２２Ｅがｙ２方向に回動することで、開口部４１を開放する。
【００１８】
表示器２３は、表示光４を出射方向Ｂに出射する。出射方向Ｂとは表示器２３が表示光４をミラー２４に向けて出射する方向であり、図４において出射方向Ｂは、ｙ１方向とｚ２方向との合成方向に向かってある。ここで、「出射」とは、光または画像を、光源または面から放つことを指す。表示器２３は、開口部４１が開放されている場合、すなわちカバー部２２が開口部を覆っていない場合に表示光４を出射する。
【００１９】
また、図４に示すように、開放状態においてカバー部２２の下端部２２Ｅと、表示器２３の上端部２３Ｅとを結ぶ線を、境界Ｄと定義する。下端部２２Ｅは、カバー部２２において表示器２３に最も近い部位である。カバー部２２は、カバー部２２より上方の光がカバー部２２の下方に入射することを遮る。表示器２３の表示光４は、カバー部２２よりも下方から出射される。従って、表示光４の光路と、カバー部２２が光を遮る範囲の境が境界Ｄである。スピーカ２７は、境界Ｄに対して表示器２３の反対側に配置される。
【００２０】
表示器２３は、例えば、液晶ディスプレイである。この場合、表示器２３は、パネル４３と、光源４４とを備える。パネル４３は、例えばそのサイズが１．８インチの液晶パネルや液晶モジュールであり、偏光部材が貼着され、光源４４により発せられた光を部分的に遮ったり透過させたりする。また、光源４４は、例えばＬＥＤを含み、パネル４３に光を照射する。表示器２３は、基板４２により支持される。なお、表示器２３は、液晶ディスプレイ以外に、有機ＥＬ（エレクトロルミネッセンス）ディスプレイなど、他の発光性ディスプレイでもよい。
【００２１】
ミラー２４は、表示器２３が出射した表示光４をコンバイナ２５に向けて反射する平面鏡である。ミラー２４は、筐体２１のｚ２方向の内壁面に配置されている。ミラー２４が反射した表示光４は、ｙ１方向とｚ１方向との合成方向に向かう。ミラー２４が反射した表示光４は、開口部４１を通ってコンバイナ２５の投影面４５に投影され、ユーザ２が視認する虚像３が結像される。
【００２２】
ミラー２４は、表示器２３よりも上方に配置されている。従って、ミラー２４は、ミラー２４と開口部４１との間の距離が、表示器２３と開口部４１との間の距離よりも短い位置に配置されている。ここで、ミラー２４と開口部４１との間の距離は、例えば図５に示すミラー２４の上端部と開口部４１のｚ２方向の端部４１Ｅとの間の距離Ｌ１である。端部４１Ｅは、開口部４１においてミラー２４に最も近い端部である。また、表示器２３と開口部４１との間の距離は、例えば図５に示す表示器２３のパネル４３の上端部と端部４１Ｅとの間の距離Ｌ２である。
【００２３】
表示器２３が出射した表示光４は、表示画像をなす。表示光４がコンバイナ２５の投影面４５に投影され、表示画像の虚像３が結像される。これにより、ユーザ２は、虚像３を視認するとともに表示画像を認識することができる。コンバイナ２５は、例えばハーフミラーであり、板ガラスと、この板ガラスの一方の面に蒸着された錫または銀などの光半透過膜とで構成される。コンバイナ２５は、半透過性を有しており、ユーザ２がコンバイナ２５を通して車両１の前方を目視できるように形成される。
【００２４】
コンバイナ２５は、ＨＵＤ装置１０を動作させない場合には収納状態となり、ＨＵＤ装置１０を動作させる場合には使用状態となる。ここで、収納状態とは、コンバイナ２５が筐体２１内に収納された状態である。また、使用状態とは、コンバイナ２５が上昇し筐体２１の開口部４１から外部に現出した状態である。コンバイナ２５の昇降動作は、例えば、特開２０１７−２１４０５６号公報で開示される方法で行うことができる。ただし、昇降動作の方法はこれに限定されない。
【００２５】
昇降機構２６は、コンバイナ支持部４６と、シャーシ４７とを有する。昇降機構２６は、コンバイナ２５の昇降動作を行うための機構であり、例えば、ユーザ２は、コンバイナ２５の昇降機構２６の電動モータ（図示せず）の駆動を指示する操作を行うことで、コンバイナ２５の収納状態と使用状態とを切り替えることができる。
【００２６】
コンバイナ支持部４６は、コンバイナ２５を支持するとともに、突起部４６Ａを有する。突起部４６Ａは、スリット４８Ａ（後述）に係合し、スリット４８Ａに沿って移動することにより、コンバイナ２５が昇降する。
【００２７】
シャーシ４７は、コンバイナ支持部４６を介してコンバイナ２５を保持するとともに、筐体２１内に固定される。シャーシ４７は、一対の昇降支持部４８と、側壁４９とを有する。シャーシ４７は、コンバイナ２５を保持し筐体２１内に固定される。
【００２８】
昇降支持部４８は、コンバイナ２５の左右両側に設けられる板状の部材であり、それぞれコンバイナ２５のｘ１方向の端部とｘ２方向の端部に設けられる。図４は、コンバイナ２５のｘ２方向の端部に設けられた昇降支持部４８を示している。昇降支持部４８において、コンバイナ支持部４６の突起部４６Ａの移動領域に対応する部分には、スリット４８Ａが形成されている。
【００２９】
スリット４８Ａは、筐体２１の上下方向（矢印ｙ１または矢印ｙ２の方向、すなわち、コンバイナ２５の昇降方向）に沿って直線的に形成されている。スリット４８Ａは、コンバイナ２５が収納状態と使用状態との間を遷移する際に、コンバイナ支持部４６に形成された突起部４６Ａが摺動する領域である。突起部４６Ａがスリット４８Ａの上端に位置する場合は、コンバイナ２５は使用状態である。コンバイナ２５の使用状態において、突起部４６Ａがスリット４８Ａの下方向（矢印ｙ２の方向）へ移動する。この移動に伴い、コンバイナ支持部４６に固定されたコンバイナ２５も筐体２１の下方向へ移動する。そして、突起部４６Ａは、スリット４８Ａの下端まで移動する。突起部４６Ａがスリット４８Ａの下端に位置する場合は、コンバイナ２５は収納状態である。
【００３０】
側壁４９は、一方の昇降支持部４８から他方の昇降支持部４８へ、ｘ１方向（ｘ２方向）に延在する板状の部材である。側壁４９は、表示器２３と対向する第１の面４９Ａと、第１の面４９Ａの裏面である第２の面４９Ｂとを有する。第１の面４９Ａは、カバー部２２が筐体２１内に収容されている場合、すなわち、コンバイナ２５が使用状態の場合にカバー部２２と対向する。
【００３１】
スピーカ２７は、シャーシ４７の側壁４９に配置される。スピーカ２７は、ｚ２方向、すなわち側壁４９の第２の面４９Ｂから第１の面４９Ａに向かう方向に出力音５を発する。これにより、側壁４９がスピーカ２７のエンクロージャーとなるため、低音をより響かせることができ、音の質を良くすることができる。シャーシ４７は、カバー部２２よりも下方（ｙ２方向）に配置されるため、シャーシ４７の側壁４９に配置されるスピーカ２７は、カバー部２２よりも下方に位置する。このように、シャーシ４７の側壁４９にスピーカ２７を配置することにより、上方の光を遮るカバー部２２の下方であり、かつ、車両１の振動の影響を受けにくい位置にスピーカ２７を固定することができる。また、スピーカ２７が側壁４９に配置されることで、側壁４９を含むシャーシ４７はスピーカ２７のエンクロージャーとして機能する。これにより、低音域を再生することができる。
【００３２】
スピーカ２７の出力音５を発する出力面２７Ａは、表示器２３と対向する。ここで、出力面２７Ａはスピーカ２７が出力音５を発する仮想的な側面である。
【００３３】
スピーカ２７が発した出力音５は開口部４１から筐体２１の外に出る。開口部４１は、使用状態のコンバイナ２５により、第１開口部４１Ａと第２開口部４１Ｂとに分けられる。第１開口部４１Ａは投影面４５に面し、第２開口部４１Ｂは投影面４５の裏面に面する。スピーカ２７が発した出力音５は、第１開口部４１Ａから筐体２１の外に出る。より詳細には、スピーカ２７が発した出力音５は、ミラー２４で反射されコンバイナ２５へ向かう。コンバイナ２５へ向かった出力音５は、コンバイナ２５によりさらに反射されてユーザ２に向かう。ここで、図４においてスピーカ２７の出力音５を出力する出力面２７Ａは側壁４９と略同一平面上に配置されているが、側壁４９に対してスピーカ２７の角度を変えて設置してもよい。すなわち、スピーカ２７が出力音５を出力する方向を、ｚ２方向からｙ１方向へ向けるように角度を変えて設置してもよい。また、スピーカ２７には、出力音５が図４の点線で示した方向に進むような指向性を持った指向性スピーカを用いてもよく、指向性を持たないスピーカを用いてもよい。指向性を持たないスピーカを用いる場合には、スピーカ２７が出力した音は出力面２７Ａから様々な方向へ向かい、カバー部２２の下端部２２Ｅとミラー２４との間から筐体２１外へ出る。従って、スピーカ２７が指向性を持たない場合であっても、出力音５は図４の点線で示した方向に進むように収れんされる。
【００３４】
図６は、シャーシ４７に設置されたスピーカ２７を示す斜視図である。
【００３５】
スピーカ２７は、シャーシ４７の側壁４９に設置される。スピーカ２７は、出力面２７Ａと側壁４９の第１の面４９Ａが略同一平面上になるように配置される。スピーカ２７は、出力音５を出力する面に振動板５１を有する。スピーカ２７が側壁４９の第２の面４９Ｂから第１の面４９Ａに向かう方向に出力音５を発する場合、振動板５１は、表示器２３に対向する。すなわち、スピーカ２７は、ｚ２方向に出力音５を出力する。なお、図４、図５、図６において、側壁４９は、昇降支持部４８のｚ２方向の端部に設けられているが、昇降支持部４８のｚ１方向の端部に設けられてもよい。この場合も、スピーカ２７は、振動板５１が表示器２３に対向するように配置されていればよい。
【００３６】
以上のように、ＨＵＤ装置１０は、表示器２３と、スピーカ２７と、筐体２１と、カバー部２２と、を備える。表示器２３は、表示光４を出射する。スピーカ２７は、表示光４の光路と重ならない位置、かつ、カバー部２２の下方に配置される。筐体２１は、開口部４１を有し表示器２３とスピーカ２７とを収容する。カバー部２２は、開口部４１を開閉可能に覆う。
【００３７】
また、本実施の形態において、ＨＵＤ装置１０は、表示器２３と、スピーカ２７と、筐体２１と、カバー部２２と、を備える。表示器２３は、表示光４を出射方向Ｂに出射する。スピーカ２７は、カバー部２２において表示器２３に最も近い下端部と表示器２３の上端部とを結ぶ境界に対して出射方向Ｂの反対側、かつ、カバー部２２の下方に配置される。筐体２１は、開口部４１を有し表示器２３とスピーカ２７とを収容する。カバー部２２は、開口部４１を開閉可能に覆う。
【００３８】
これにより、スピーカ２７は表示光４の光路上に存在せず、表示光４が筐体２１内で反射した光が入らないカバー部２２の下方であるため、スピーカ２７が表示画像に映り込むことを防ぐことができる。
【００３９】
また、カバー部２２は、開口部４１が開放されている場合、筐体２１内に収容されてもよい。
【００４０】
開口部４１が開放されている場合、カバー部２２が筐体２１内に収容されるため、ＨＵＤ装置１０が表示画像を表示する場合にカバー部２２が表示内容をユーザ２が視認することを妨げることを防ぐことができる。
【００４１】
また、筐体２１に収容され表示器２３が出射した表示光４を開口部４１から筐体２１外に反射するミラー２４をさらに備えてもよい。この場合、ミラー２４と開口部４１との間の距離は、表示器２３と開口部４１との間の距離よりも短くする。
【００４２】
この構成では、ミラー２４の方が開口部４１に近いため、表示器２３が出射した表示光４が筐体２１内に向かうことを防ぐことができる。これにより、表示光４が筐体２１内に向かうこと防ぐため、より確実にスピーカ２７の映り込みを防ぐことができる。
【００４３】
表示光４を投影するコンバイナ２５と、コンバイナ２５を保持し筐体２１内に固定されたシャーシ４７と、をさらに備え、スピーカ２７は、シャーシ４７に設置されてもよい。
【００４４】
これにより、スピーカ２７は安定性のあるシャーシ４７に固定されるため、振動が多く発生する車両内においてスピーカ２７が振動の影響を受けないように固定させることができる。
【００４５】
シャーシ４７の側壁４９は、表示器２３と対向する第１の面４９Ａと、第１の面４９Ａの裏面である第２の面４９Ｂを有する。スピーカ２７が出力音５を発する方向は、第２の面４９Ｂから第１の面４９Ａへ向かう方向でもよい。
【００４６】
スピーカ２７は、第２の面４９Ｂから第１の面４９Ａへ向かう方向すなわち表示器２３の存在する方向へ出力音５を出力するため、表示光４が出射される方向と出力音５を出力する方向を合わせることができる。これにより、ユーザ２は、表示光４と出力音５を同じ方向から受けるため、ユーザ２に与える違和感を軽減できる。
【００４７】
上記構成において、例えば、コンバイナ２５は、表示光４を投影する投影面４５を有する。開口部４１は、起立したコンバイナ２５によって投影面４５に面する第１開口部４１Ａと投影面４５の裏面に面する第２開口部４１Ｂとに分けられ、スピーカ２７が発した音は、第１開口部４１Ａから筐体２１外に出るとしてもよい。
【００４８】
ＨＵＤ装置１０の表示光４は筐体２１内から投影面４５へ出射されるため、スピーカ２７が出力した出力音５を第１開口部４１Ａから筐体２１外に出るようにすると、表示光４と出力音５がどちらもユーザ２へ向かう。これにより、ユーザ２は、表示光４と出力音５を同じ方向から受けるため、ユーザ２に与える違和感を軽減できる。
【００４９】
上記構成において、例えば、シャーシ４７は、コンバイナ２５の昇降機構２６に含まれてもよい。昇降機構２６は、開口部４１が開放される場合、コンバイナ２５を開口部４１から筐体２１外に現出させ、開口部４１が閉じられる場合、コンバイナ２５を筐体２１内に収容する。
【００５０】
これにより、コンバイナ２５が現出する場合には、開口部４１が開放され、スピーカ２７が発する音と表示器２３が出射する表示光４は筐体２１外へ出る。従って、ユーザ２はコンバイナ２５の表示とスピーカ２７の音をＨＵＤ装置１０の使用時に合わせて受け取ることができるため、ユーザ２に与える違和感を軽減できる。
【００５１】
（第２の実施の形態）
以下、図７を参照して第２の実施の形態に係るＨＵＤ装置１０を説明する。図７は、第２の実施の形態に係るＨＵＤ装置１０を示す断面図である。本実施の形態に係るＨＵＤ装置１０の基本構成は図４と同様であり、スピーカ２７の出力音５を出力する方向が異なるため、この点について詳細に説明する。
【００５２】
スピーカ２７は、シャーシ４７の側壁４９に配置されている。スピーカ２７は、ｚ１方向、すなわち側壁４９の第１の面４９Ａから第２の面４９Ｂに向かう方向に出力音５を発する。
【００５３】
スピーカ２７が発した出力音５は、筐体２１のｚ１方向の側面で反射され、第２開口部４１Ｂへ向かい、第２開口部４１Ｂから筐体２１の外に出る。ここで、図７においてスピーカ２７の出力音５を出力する面は側壁４９と略同一平面上に配置されているが、スピーカ２７の角度を変えて設置してもよい。例えば、スピーカ２７が出力音５を出力する方向を、ｚ１方向からｙ１方向へ向けるように角度を変えて設置してもよい。また、スピーカ２７には、出力音５が図７の点線で示した方向に進むような指向性を持った指向性スピーカを用いてもよく、指向性を持たないスピーカを用いてもよい。指向性を持たないスピーカを用いる場合には、スピーカ２７が出力した音は出力面２７Ａから様々な方向へ向かい、筐体２１のｚ１方向の壁面とコンバイナ支持部４６との間を通り、第２開口部４１Ｂから筐体２１外へ出る。従って、スピーカ２７が指向性を持たない場合であっても、出力音５は図７の点線で示した方向に進むように収れんされる。
【００５４】
以上のように、ＨＵＤ装置１０のシャーシ４７は、表示器２３と対向する第１の面４９Ａと、第１の面４９Ａの裏面である第２の面４９Ｂとを有する側壁４９を備える。スピーカ２７が音を発する方向は、第１の面４９Ａから第２の面４９Ｂへ向かう方向であってもよい。
【００５５】
スピーカ２７が第１の面４９Ａから第２の面４９Ｂへ向かう方向へ音を発する場合、音が進む方向に表示器２３などの音の障害物になるものが無く、かつ、側壁４９がスピーカ２７のエンクロージャーとなるため、低音をより響かせることができ、音の質を良くすることができる。
【００５６】
上記構成において、コンバイナ２５は、表示光４が投影される投影面４５を有する。開口部４１は、コンバイナ２５により投影面４５に面する第１開口部４１Ａと投影面４５の裏面に面する第２開口部４１Ｂとに分けられ、スピーカ２７が発した音は、第２開口部４１Ｂから筐体２１外に出るとしてもよい。
【００５７】
スピーカ２７が第１の面４９Ａから第２の面４９Ｂへ向かう方向へ発することで出る質の良い音を、音の進行方向を大きく変えずに筐体２１の外へ出すことができる。
【００５８】
（他の実施の形態）
上記実施の形態で説明したＨＵＤ装置１０において、カバー部２２の回動に伴って開口部の開閉を行う場合について説明した。しかし、本開示はこのような構成に限定されず、カバー部２２の開閉に伴ってコンバイナ２５の昇降動作が行われる構成であればよい。
【００５９】
また例えば、昇降支持部４８は、実施の形態で示した構造に限定されず、コンバイナ支持部４６を昇降可能に支持できるものであればよい。
【産業上の利用可能性】
【００６０】
本開示は、内部にスピーカを備えるＨＵＤ装置に適用可能である。
【符号の説明】
【００６１】
１    車両
２    ユーザ
３    虚像
４    表示光
５    出力音
１０    ヘッドアップディスプレイ装置（ＨＵＤ装置）
１１    インストルメントパネル
１２    ハンドル
２１    筐体
２２    カバー部
２２Ｅ    下端部
２３    表示器
２３Ｅ    上端部
２４    ミラー
２５    コンバイナ
２６    昇降機構
２７    スピーカ
２７Ａ    出力面
４１    開口部
４１Ａ    第１開口部
４１Ｂ    第２開口部
４１Ｅ    端部
４２    基板
４３    パネル
４４    光源
４５    投影面
４６    コンバイナ支持部
４６Ａ    突起部
４７    シャーシ
４８    昇降支持部
４８Ａ    スリット
４９    側壁
４９Ａ    第１の面
４９Ｂ    第２の面
５１    振動板
Ｂ    出射方向
Ｃ１    回転軸
Ｄ    境界
Ｌ１、Ｌ２    距離
【図１】
2019172062.tif 000003
【図２】
2019172062.tif 000004
【図３】
2019172062.tif 000005
【図４】
2019172062.tif 000006
【図５】
2019172062.tif 000007
【図６】
2019172062.tif 000008
【図７】
2019172062.tif 000009